(57)【要約】【課題】録画された番組を表示する電子番組表を使用する際に、視聴制限対象者が視聴制限対象の番組が録画されていることを知られないようにする。【解決手段】録画手段で録画された番組から視聴制限対象となる第１の番組を検出する検出手段と、録画日時を示す時間軸と、チャンネルを示すチャンネル軸とで区画された番組欄に録画された番組の内容を表示する電子番組表を作成する電子番組表作成手段と、電子番組表を用いて選択された番組を再生する再生手段と、を有し、電子番組表作成手段は、検出された第１の番組に該当する番組欄に、視聴制限対象とならない第２の番組の内容を表示させる。【選択図】図３
2015226123.tif 000002
【特許請求の範囲】
【請求項１】
チューナーと、
補助記憶装置と、
前記チューナーが受信した番組を前記補助記憶装置に常時録画する録画手段と、
録画日時を示す時間軸と、チャンネルを示すチャンネル軸とで区画された番組欄に録画された番組の内容を表示する電子番組表を作成する電子番組表作成手段と、
前記電子番組表を用いて選択された前記番組を再生する再生制御手段と、を有し、
前記電子番組表作成手段は、録画された前記番組が視聴制限対象となる第１の番組に該当する場合、前記第１の番組に相当する番組欄に、前記視聴制限対象とならない第２の番組の内容を表示させる、ことを特徴とする録画装置。
【請求項２】
前記録画手段は、前記補助記憶装置の第１の領域に番組データを常時録画し、前記第１の領域の記録可能容量が閾値以下となると最も古く録画された番組データを消去し、新たな番組データを録画する、ことを特徴とする請求項１に記載の録画装置。
【請求項３】
前記第２の番組は、前記電子番組表上で、前記第１の番組の録画日時に相当する番組欄の前記時間軸で前後に表示される番組であって、
前記電子番組表作成手段は、前記第２の番組の番組欄を前記第１の番組の録画日時に該当する番組欄まで延長させて表示する、ことを特徴とする請求項１または請求項２のいずれかに記載の録画装置。
【請求項４】
前記電子番組表作成手段は、前記電子番組表上で、前記第１の番組と同じ放送局により放送された番組を前記第２の番組とする、ことを特徴とする請求項１または請求項２のいずれかに記載の録画装置。
【請求項５】
前記電子番組表作成手段は、前記電子番組表上で、前記第１の番組と同じ録画時刻で録画された番組を前記第２の番組とする、ことを特徴とする請求項１または請求項２のいずれかに記載の録画装置。
【請求項６】
前記電子番組表作成手段は、前記電子番組表上で、前記第１の番組と同じ番組長さの番組を前記第２の番組とする、ことを特徴とする請求項１または請求項２のいずれかに記載の録画装置。
【請求項７】
前記電子番組表作成手段は、ユーザの入力により、前記第１の番組を検索するための検索条件の登録を行う、ことを特徴とする請求項１から請求項６のいずれか一項に記載の録画装置。
【請求項８】
前記再生制御手段は、前記電子番組表上の前記第１の番組の録画日時に相当する番組欄に表示された前記第２の番組がユーザにより選択された場合は、前記第２の番組の番組データを再生させる、ことを特徴とする請求項１から請求項７のいずれか一項に記載の録画装置。
【請求項９】
前記再生制御手段は、前記第１の番組の番組データを別領域に記録した後、前記第１の番組の番組データが記録される領域に前記第２の番組の番組データを記録する、ことを特徴とする請求項１から請求項８のいずれか一項に記載の録画装置。
【請求項１０】
前記再生制御手段は、前記第２の番組の番組データが前記第１の領域に記録されている場合は、前記第２の番組の番組データを前記第１の領域と異なる第２の領域に記録する、ことを特徴とする請求項２に記載の録画装置。
【発明の詳細な説明】
【技術分野】
【０００１】
本発明は、録画装置に関し、録画した番組を確認できる電子番組表を備える録画装置に関する。
【背景技術】
【０００２】
テレビジョン放送では、放送される番組の放送スケジュールを表示する機能として電子番組表が知られている。電子番組表は、放送時間帯とチャンネル（放送局）とで区画された番組欄と、この番組欄に表示される番組内容（番組タイトル、出演者、番組内容）を表示する。そのため、ユーザは電子番組表を表示させることで、番組の放送スケジュールの確認、視聴、さらには録画予約等を行うことができる（例えば、特許文献１、２参照）。
【０００３】
また、テレビジョン放送で放送される番組には、暴力シーンや性的表現を含むため年齢等に視聴制限を課すことをＳＩ（Service Information）内の情報で知らせるものも存在する。また、ユーザが番組の内容にもとづいて、他の者に視聴制限を課したいと考える場合もある。以下、このような番組を視聴制限番組とも記載する。
【先行技術文献】
【特許文献】
【０００４】
【特許文献１】特開２００７−２５１６２４号公報
【特許文献２】特開２００３−１６９２６７号公報
【発明の概要】
【発明が解決しようとする課題】
【０００５】
さて、補助記憶装置に番組を録画する録画装置において、録画した番組をユーザに確認させる電子番組表（過去番組表とも記載する）の作成機能を備えるものが知られている。この電子番組表では、録画日時とチャンネル（放送局）とで区画される番組欄と、この番組欄に表示される録画された番組の内容（番組タイトル、出演者、番組内容）を表示する。
ここで、録画装置において、視聴制限番組を録画した場合に、該当する番組欄に視聴制限番組が表示されてしまう。そのため、視聴制限を課したい利用者（以下、視聴制限対象者とも記載する。）が、電子番組表を表示させることで、視聴制限番組が録画されていることを知られてしまう場合がある。
【０００６】
本発明は、上記課題にかんがみてなされたもので、録画された番組を表示する電子番組表を使用する際に、視聴制限対象者が視聴制限対象の番組が録画されていることを知られないようにすることを目的とする。
【課題を解決するための手段】
【０００７】
上記課題を解決するために、本発明の一態様では、チューナーと、補助記憶装置と、前記チューナーが受信した番組を前記補助記憶装置に常時録画する録画手段と、前記録画された番組から視聴制限対象となる第１の番組を検出する検出手段と、録画日時を示す時間軸と、チャンネルを示すチャンネル軸とで区画された番組欄に録画された番組の内容を表示する電子番組表を作成する電子番組表作成手段と、前記電子番組表を用いて選択された前記番組を再生する再生手段と、を有し、前記電子番組表作成手段は、検出された前記第１の番組に該当する番組欄に、前記視聴制限対象とならない第２の番組の内容を表示させる。
【０００８】
明細書中で使用する言葉は以下の意味で使用する。
『補助記憶装置』は、主記憶装置以外の記録装置を意味し、１つの装置のみならず、複数の装置が合わさった場合も含まれる。
『録画日時』とは、番組の録画が行われた日付、時刻、を意味する。
『番組欄』とは、電子番組表上で番組の内容が表示される領域を意味する。
『第１の番組に相当する番組欄』とは、第１の番組が電子番組表に表示されるとしたならば、第１の番組の内容が表示される電子番組表上での番組欄を意味する。例えば、第１の番組が、チャンネル『３』で、録画時刻が『２０１４年１月１日、ＡＭ８：００〜ＡＭ９：００』である場合、『録画日時に相当する番組欄』とは、電子番組表におけるチャンネル『３』の『２０１４年１月１日、ＡＭ８：００〜ＡＭ９：００』で区画される領域である。
『視聴制限対象とならない第２の番組』とは、検出手段によって視聴制限の条件として検出された情報と同様の条件に当てはまらない番組を意味する。
【０００９】
上記のように構成された発明では、電子番組表作成手段は、検出手段によって検出された第１の番組に相当する番組欄に、視聴制限対象とならない第２の番組の内容を表示させる。そのため、視聴制限対象者が、電子番組表を表示させた場合でも、第１の番組の番組欄は表示されないため、視聴制限対象者が視聴制限対象の番組を再生できないようにすることができる。
【００１０】
本発明の一態様では、前記録画手段は、前記補助記憶装置の第１の領域に番組データを常時録画し、前記第１の領域の記録可能容量が閾値以下となると最も古く録画された番組データを消去し、新たな番組データを録画する。
上記のように構成された発明では、常時録画を行う録画装置においても本発明を適用することができる。
【００１１】
本発明の一態様では、前記第２の番組は、前記電子番組表上で、前記第１の番組の録画日時に相当する番組欄の前記時間軸で前後に表示される番組であって、前記電子番組表作成手段は、前記第２の番組の番組欄を前記第１の番組の録画日時に該当する番組欄まで延長させて表示する。
上記のように構成された発明では、録画時刻が近い番組で第１の番組に相当する番組欄を覆うため、違和感のない電子番組表とすることができる。
【００１２】
本発明の一態様では、前記電子番組表作成手段は、電子番組表上で、前記第１の番組と同じ放送局により放送された番組を前記第２の番組とする。
上記のように構成された発明では、同じ放送局により放送された番組を第１の番組に相当する番組欄に表示するため、違和感のない電子番組表とすることができる。
【００１３】
本発明の一態様では、前記電子番組表作成手段は、電子番組表上で、前記第１の番組と同じ録画時刻で録画された番組を前記第２の番組とする。
上記のように構成された発明では、同じ録画時刻の番組を第１の番組に相当する番組欄に表示するため、違和感のない電子番組表とすることができる。
【００１４】
本発明の一態様では、前記電子番組表作成手段は、電子番組表上で、前記第１の番組と同じ番組長さの番組を前記第２の番組とする。
上記のように構成された発明では、同じ番組長さの番組を第１の番組に相当する番組欄に表示するため、違和感のない電子番組表とすることができる。
【００１５】
本発明の一態様では、前記電子番組表作成手段は、ユーザの入力により、第１の番組を検索するための検索条件の登録を行う。
上記のように構成された発明では、ユーザにより第１の番組を検索するための検索条件を入力することができるため、本発明をより使い勝手のよいものとすることができる。
【００１６】
本発明の一態様では、前記再生制御手段は、前記電子番組表上の前記第１の番組の録画日時に相当する番組欄に表示された前記第２の番組がユーザにより選択された場合は、前記第２の番組の番組データを再生させる。
上記のように構成された発明では、第２の番組を再生させることで、視聴制限対象者が第１の番組を再生するのを抑制することができる。
【００１７】
本発明の一態様では、前記再生制御手段は、前記第１の番組の番組データを別領域に記録した後、前記第１の番組の番組データが記録される領域に前記第２の番組の番組データを記録する。
上記のように構成された発明では、第１の番組の番組データの記録先を変更することで、視聴制限対象者が電子番組表を用いて第１の番組を確実に再生できないようにすることができる。
【００１８】
本発明の一態様では、前記再生制御手段は、前記第２の番組の番組データが前記第１の領域に記録されている場合は、前記第２の番組の番組データを前記第１の領域と異なる第２の領域に記録する。
常時録画を行う場合でも、視聴制限対象者が電子番組表を用いて第１の番組を確実に再生できないようにすることができる。
【図面の簡単な説明】
【００１９】
【図１】録画装置１０の外観を示す外観図。
【図２】録画装置１０のハードウェア構成を示すブロック構成図。
【図３】録画装置１０の機能を示す機能ブロック図。
【図４】録画手段３１により制御される録画制御を説明する図。
【図５】管理テーブル４０を説明する図。
【図６】一例としての電子番組表を説明する図。
【図７】電子番組表作成手段３２により実行されるフローチャート。
【図８】電子番組表１００を示す図。
【図９】図７のステップＳ８において電子番組表作成手段３２の処理を示すフローチャート。
【図１０】再生制御を説明するフローチャート。
【図１１】第２の実施形態において、図７のステップＳ８において電子番組表作成手段３２の処理を示すフローチャート。
【図１２】第２の実施形態において作成される電子番組表１００を説明する図。
【図１３】第２の実施形態における再生制御を説明するフローチャート。
【図１４】第３の実施形態において、再生制御手段３３が実行する処理を示すフローチャート。
【図１５】ユーザが視聴制限対象番組を決定するための処理を示すフローチャート。
【発明を実施するための形態】
【００２０】
以下、下記の順序に従って本発明の実施形態を説明する。
１．第１の実施形態：
２．第２の実施形態：
３．第３の実施形態：
４．第４の実施形態：
５．その他の実施形態：
【００２１】
１．第１の実施形態：
（１）録画装置の構成 
図１は、録画装置１０の外観を示す外観図である。
録画装置１０は、図１では図示しないアンテナに接続されており、このアンテナが受信したテレビジョン放送から所望のＴＳパケットを抽出し番組の録画を行う。また、録画装置１０は、テレビジョン受像機等の表示装置５０と接続しており、録画された番組を表示装置５０に出力することができる。また、録画装置１０は、録画機能として、通常録画、ループ録画の各録画機能を備えている。
【００２２】
図２は、録画装置１０のハードウェア構成を示すブロック構成図である。
図２に示す録画装置１０は、チューナー部１１、エンコーダー１２、デコーダー１３、ビデオメモリ１４、ＡＶコンバーター１５、メモリコントローラ１６、ＨＤＤ１７、システムコントローラ３０、ＧＵＩ合成部１９、バス２０、表示部２１、リモコン受信部２２と、を有している。
【００２３】
チューナー部１１は、アンテナが受信したテレビジョン放送から所望のチャンネルに対応する番組のデータ（番組データ）を抽出する。また、図２ではチューナー部１１は、複数のチューナー＃１〜＃Ｎを備えている。ここで、チューナー＃１は、通常録画に用いられる。また、チューナー＃２〜チューナー＃Ｎはループ録画に用いられる。
なお、図２では、通常録画に用いられるチューナーを１つとして記載しているが、これに限定されず、複数のチューナーを用いるものであってもよい。また、チューナーは地上デジタル放送や、衛生放送（ＢＳ）、ケーブル放送（ＣＳ）のそれぞれの放送波から所定のチャンネルに対応する情報を抽出することができる。
【００２４】
チューナー部１１の出力側には、エンコーダー１２が接続されている。エンコーダー１２は、チューナー＃１〜＃Ｎから出力されるＴＳパケット化された放送信号をＨＤＤ１７のフォーマットに応じて変換する。以下、記録用メモリに記録（録画）された番組を録画データ、録画番組とも記載する。また、エンコーダー１２は、入力された放送信号からＳＤＴ（Service Description Table）やＥＩＴ（Event Information Table）を分離する。
【００２５】
メモリコントローラ１６は、バス２０を介してＨＤＤ１７に接続されており、エンコーダー１２がエンコードした番組データをＨＤＤ１７に録画する。また、ＨＤＤ１７に録画した番組データを再生する場合、メモリコントローラ１６は、ＨＤＤ１７から対象とする番組データを読みだし、ビデオメモリ１４に出力する。
【００２６】
また、メモリコントローラ１６は、システムコントローラ３０による制御により、ループ録画時における番組データの録画や、通常録画における番組データの録画を制御することができる。なお、ループ録画については、後述する。
【００２７】
デコーダー１３は、ビデオメモリ１４に読み出された番組データを所定のフォーマットや、画質に変換する。
【００２８】
ＧＵＩ合成部１９は、表示装置５０に表示する設定画面等のユーザインターフェースの元となるデータを生成し、ビデオメモリ１４に展開する。
【００２９】
ＡＶコンバーター１５は、表示装置５０と有線または無線を通じて接続しており、ビデオメモリ１４に展開された番組データを表示装置５０に出力する。
【００３０】
システムコントローラ３０は、録画装置１０を構成するハードウェアの動作を統合的に制御する。システムコントローラ３０は、図示しない、ＣＰＵ、ＲＯＭ、ＲＡＭ、割込みコントローラ、タイマー、Ｉ／ＯＩＦを備えて構成され、ＲＯＭに記録されたプログラムをＲＡＭ上に展開して実行することで、各種の機能を実現することができる。また、システムコントローラ３０は、所定の文字列やアイコンを表示する表示部２１や、リモコン装置から送信されるコマンドを受信するリモコン受信部２２と、接続している。
【００３１】
図３は、録画装置１０の機能を示す機能ブロック図である。図３に示すシステムコントローラ３０は、録画手段３１、電子番組表作成手段３２、再生制御手段３３と、を機能的に備える。
【００３２】
録画手段３１は、チューナー部１１が受信した番組データをＨＤＤ１７に録画する際の録画制御を行う。録画制御では、録画手段３１は、メモリコントローラ１６を制御することで通常録画（第１の録画）と、ループ録画（第２の録画）とのいずれかを実行する。
【００３３】
図４は、録画手段３１により制御される録画制御を説明する図である。
録画手段３１により制御される通常録画では、チューナー＃１により受信された番組データを、ＨＤＤ１７の常時録画領域（第２の領域）１７＃１にそれぞれ記録していく。
録画手段３１により制御されるループ録画では、チューナー＃２〜＃Ｎにより受信された番組データを、ＨＤＤ１７のループ録画用のループ録画領域（第１の領域）１７＃２〜１７＃Ｍにそれぞれ記録していく。ループ録画では、チャンネル毎に、記録先のループ録画領域（１７＃２〜１７＃Ｍ）が割り当てられている。図４では、チューナー＃Ｎには、ループ録画領域１７＃Ｍが割り当てられている。そして、メモリコントローラ１６は、チューナー＃Ｎが受信したあるチャンネルの番組データを、ループ録画領域１７＃Ｍの先頭アドレスから順に記録していく。図４では、ループ録画領域１７＃Ｍには、番組データＤ１〜番組データＤＮが記録されている。そして、ループ録画領域１７＃Ｍの番組データの記録先が終端まで達すると（記録可能容量が閾値以下）、メモリコントローラ１６は、ループ録画領域１７＃Ｍの先頭に戻り、番組データ（図４では、番組データ♯Ｌ＋１）を録画する。このとき、ループ録画領域１７＃Ｍの先頭に記録されている最も古く録画された番組データ（図４では、番組データ♯１）は、消去される。そのため、ループ録画領域１７＃２〜１７＃Ｍに記録される番組データデータは、永続的に記録されない。
【００３４】
また、録画手段３１は、番組データを録画するごとに、管理テーブルを作成する。
図５は、管理テーブル４０を説明する図である。図５に示す管理テーブル４０には、番組データを管理するための管理情報（ｉ）に関連づけて、番組情報が記録されている。なお、ｉは１〜Ｎまでの整数である。以下では、管理情報（ｉ）に関連する番組情報を番組情報（ｉ）と記載する。番組情報は、例えば、２次元の構造体データであり、録画された番組データに関連付けられた複数のデータにより構成されている。
図５に示す管理テーブル４０では、管理情報（ｉ）には、番組情報（ｉ）として、『番組タイトル』、『放送日時』、番組が放送されるチャンネルの『チャンネル番号』、『放送開始時刻』、『番組長さ』、番組の内容を示す『番組内容』等を含んでいる。また、『番組内容』には、出演者の情報や、番組のジャンルを示す情報が記録されている。番組情報は、エンコーダー１２により分離されたＳＩをもとに取得される。この第１の実施形態では、管理テーブル４０は、ＨＤＤ１７に記録されるが、これ以外の場所に記録されるものであってもよい。また、管理テーブル４０には、ＨＤＤ１７に記録された番組データの位置が関連づけられている。そのため、システムコントローラ３０は、管理テーブル４０を、参照することで、ＨＤＤ１７に録画された番組データの内容や、この番組データが記録された位置を参照することができる。
【００３５】
電子番組表作成手段３２は、ＨＤＤ１７に録画された番組を表示する電子番組表１００を作成する。図６は、一例としての電子番組表を説明する図である。図６に示す電子番組表１００は、縦軸が録画日時を示す時間軸Ｔａであり、横軸がチャンネルを示すチャンネル軸Ｃａである。そして、時間軸Ｔａとチャンネル軸Ｃａにより番組欄１０１（ｉ）が区画されている。この番組欄１０１（ｉ）には、管理テーブル４０の管理情報（ｉ）に対応する番組（録画番組）の番組情報（『番組タイトル』、『番組内容』等）が表示されている。電子番組表作成手段３２は、管理テーブル４０に記録された番組情報をもとに、電子番組表１００を作成する。
また、電子番組表作成手段３２は、録画された番組が視聴制限対象となる第１の番組に該当する場合、第１の番組に相当する番組欄に、視聴制限対象とならない第２の番組の内容を表示させる。
【００３６】
電子番組表１００は、ＨＤＤ１７に録画された録画番組を再生するためのユーザインターフェースとしても機能する。すなわち、ユーザが電子番組表１００に表示される番組欄の選択を行うと、再生制御手段３３は、選択された番組の番組データをＨＤＤ１７から読み出し、再生させる。この第１の実施形態では、再生制御手段３３は、ユーザによって選択された電子番組表１００の番組欄から管理情報（ｉ）を取得し、この管理情報（ｉ）に関連づけられたＨＤＤ１７の記録先のアドレスを、管理テーブル４０を参照して検索する。そして、再生制御手段３３は、メモリコントローラ１６に、検索された再生対象の番組データの再生を命令する。
また、再生制御手段３３は、ＨＤＤ１７に記録された番組データの記録先の変更も制御することができる。
【００３７】
（２）電子番組表の表示制御
録画装置１０により実行される電子番組表の表示制御について説明する。
まずは、電子番組表作成手段３２によって実行される電子番組表１００の作成方法について説明する。
図７は、電子番組表作成手段３２により実行されるフローチャートである。図７に示すフローチャートは、ループ録画により番組がＨＤＤ１７に録画されるごとに実行される。図８は、電子番組表１００を示す図である。ここで、図８（ａ）は、ユーザがパスワードを入力して表示させた場合（すなわち、視聴制限がかかっていない場合）の電子番組表１００を示す。また、図８（ｂ）は、視聴制限がかかっている場合の電子番組表１００を示す。
【００３８】
まず、システムコントローラ３０は、ステップＳ１〜Ｓ４までの処理により、電子番組表１０１に表示される番組欄１０１（ｉ）を構成するためのＣＳＳを作成する。
まず、ステップＳ１では、システムコントローラ３０は、管理テーブル４０に記録された管理情報（ｉ）の番組情報を取得する。以下、管理情報（ｉ）の番組情報を番組情報（ｉ）とも記載する。この第１の実施形態では、番組情報の内、『番組タイトル』、『放送日時』、『チャンネル番号』、『放送開始時刻』、『番組長さ』、『番組内容』を取得する。
【００３９】
ステップＳ２では、システムコントローラ３０は、ステップＳ１で取得した番組情報をもとに、番組欄１０１（ｉ）（図８）を作成するための開始座標（ｉ）、セル幅Ｗ（ｉ）、セル長さ（ｉ）、テキスト（ｉ）を取得する。図８に示すように、開始座標（ｉ）は、番組欄の開始位置を示す座標（ｘ、ｙ）であり、『放送開始時刻』をもとに取得される。また、セル幅Ｗ（ｉ）は、番組欄１０１（ｉ）のチャンネル軸Ｃａでの幅を示し、予め決められた定数である。また、セル長さ（ｉ）は、番組欄１０１（ｉ）の時間軸Ｔａでの長さを示し、『番組長さ』をもとに取得される。また、テキスト（ｉ）は、番組欄１０１（ｉ）に埋め込まれる文字情報であり、『番組タイトル』、『番組内容』をもとに取得される。
【００４０】
ステップＳ３では、システムコントローラ３０は、更新対象となった全ての管理情報（ｉ）で番組欄１０１（ｉ）が作成されていなければ（ステップＳ３：ＮＯ）、ステップＳ４に進み、参照先の管理情報（ｉ）を１だけ変更する。そして、変更後の管理情報（ｉ）における録画番組において、ステップＳ１、Ｓ２の処理を繰返す。
【００４１】
更新対象となった全ての管理情報（ｉ）で番組欄１０１（ｉ）が作成されると（ステップＳ３：ＹＥＳ）、システムコントローラ３０は、ステップＳ５に進む。以下、ステップＳ５〜Ｓ１０の処理により、システムコントローラ３０は、視聴制限番組の番組欄１０１（ｉ）に視聴制限対象となっていない番組（第２の番組）を表示する処理を行なう。
【００４２】
まず、ステップＳ５では、システムコントローラ３０は、参照先の管理情報（ｉ）を初期化する。次に、ステップＳ６では、システムコントローラ３０は、番組情報（ｉ）を取得する。
【００４３】
ステップＳ７では、システムコントローラ３０は、番組情報（ｉ）に視聴制限情報が含まれていなければ（ステップＳ７：ＮＯ）、ステップＳ１０に進み、管理情報（ｉ）に１を＋して、参照対象を変更する。
一方、番組情報（ｉ）に視聴制限情報が含まれている場合（ステップＳ７：ＹＥＳ）、システムコントローラ３０は、ステップＳ８に進み、この番組のＣＳＳ（カスケーディングスタイルシート）を修正するための処理を行なう。
【００４４】
図９は、図７のステップＳ８において電子番組表作成手段３２の処理を示すフローチャートである。
ステップＳ８１では、システムコントローラ３０は、時間軸Ｔａの前に録画番組がある場合（ステップＳ８１：ＹＥＳ）、ステップＳ８２に進む。以下、対象とする管理情報（ｉ）の番組欄１０１（ｉ）に対して時間軸Ｔａの前にある録画番組を管理情報（ｉ−１）により表記する。
【００４５】
ステップＳ８２では、システムコントローラ３０は、管理情報（ｉ−１）のＣＳＳを取得する。すなわち、システムコントローラ３０は、開始座標（ｉー１）、セル幅Ｗ（ｉー１）、セル長さＬ（ｉー１）、テキスト（ｉー１）をそれぞれ取得する。
【００４６】
ステップＳ８３では、システムコントローラ３０は、管理情報（ｉ−１）のセル長さＬ（ｉー１）をセル長さ（ｉ）とセル長さ（ｉー１）を足した値とする。
上記した、ステップＳ８２、Ｓ８３の処理により、視聴制限番組の番組欄１０１（ｉ）に対して時間軸Ｔａの前にある番組欄１０１（ｉ）は、セル長さＬ（ｉ−１）が番組欄１０１（ｉ）に相当する領域まで延長される（図８（ｂ））。
【００４７】
時間軸Ｔａの前に録画番組がない場合（ステップＳ８１：ＮＯ）、システムコントローラ３０は、ステップＳ８４に進む。以下、時間軸Ｔａの後にある録画番組を管理情報（ｉ＋１）により表記する。
【００４８】
ステップＳ８４では、システムコントローラ３０は、管理情報（ｉ＋１）のＣＳＳを取得する。すなわち、システムコントローラ３０は、作成されているＣＳＳとして開始座標（ｉ＋１）、セル幅Ｗ（ｉ＋１）、セル長さＬ（ｉ＋１）、テキスト（ｉ＋１）をそれぞれ取得する。
【００４９】
ステップＳ８５では、システムコントローラ３０は、開始座標（ｉ＋１）を、視聴制限番組の開始座標（ｉ）で置き換える。
ステップＳ８６では、システムコントローラ３０は、管理情報（ｉ＋１）のセル長さＬ（ｉ＋１）をセル長さ（ｉ）とセル長さ（ｉ＋１）を足した値とする。
【００５０】
上記した、ステップＳ８５、Ｓ８６の処理により、視聴制限番組の番組欄１０１（ｉ）に対して時間軸Ｔａの後にある番組欄（ｉ＋１）は、開始位置を番組欄１０１（ｉ）に相当する領域となり、セル長さＬ（ｉ＋１）が番組欄（ｉ＋１）の放送終了時刻までとなる。すなわち、番組欄（ｉ＋１）が番組欄１０１（ｉ）に相当する領域まで延長される（図８（ｂ））。
【００５１】
ステップＳ８７では、システムコントローラ３０は、視聴制限対象の番組欄１０１（ｉ）のＣＳＳを削除する。そして、図７に戻る。
【００５２】
図７のステップＳ９では、システムコントローラ３０は、更新対象の全ての管理情報（ｉ）において、ステップＳ６からＳ８の処理を実施していなければ（ステップＳ９：ＮＯ）、ステップＳ１０に進む。ステップＳ１０では、システムコントローラ３０は、管理情報（ｉ）に１をプラスして変更し、ステップＳ６〜Ｓ８の処理を繰返す。
【００５３】
更新対象の全ての管理情報（ｉ）において、ステップＳ６からＳ８の処理を実施していれば（ステップＳ９：ＹＥＳ）、システムコントローラ３０は、処理を終了する。
【００５４】
次に、再生制御手段３３に実施される、再生制御を説明する。以下では、再生制御手段３３により実施される録画番組の再生方法の一例として、連続再生を説明する。この連続再生では、ＨＤＤ１７の第２の領域に記録された番組データが連続で再生される。例えば、ユーザが図８（ｂ）に示した電子番組表１００のチャンネル『１』の番組『番組１』に表示された番組を選択した場合に、この番組から時間軸Ｔａで後に表示されている番組（『番組１』『番組３』）を連続して再生する場合を例に説明する。上記のように、管理テーブル４０では、『番組１』『番組３』との間には、視聴制限番組である『番組２』が記録されているが、視聴制限対象者は、電子番組表１００からこの『番組２』の番組欄を確認することができない。
【００５５】
図１０は、再生制御を説明するフローチャートである。図１０に示すフローチャートは、視聴制限対象ユーザが電子番組表１００を表示して番組を視聴する場合を示している。
【００５６】
ステップＳ１１では、システムコントローラ３０は、視聴制限のかかった電子番組表１００を表示する。
【００５７】
ユーザが電子番組表１００の該当する番組欄１０１（ｉ）を選択することで、番組の再生を入力すると（ステップＳ１２：ＹＥＳ）、ステップＳ１３では、システムコントローラ３０は、再生対象番組の管理テーブル４０を参照する。上記した例では、ユーザが『番組１』を選択した場合、まずは、システムコントローラ３０は、選択された『番組１』の管理テーブル４０を参照する。
【００５８】
番組情報に視聴制限情報が含まれている場合（ステップＳ１４：ＹＥＳ）、ステップＳ１５では、システムコントローラ３０は、この番組を再生対象から除外する（スキップする）。上記のように、視聴制限番組は、電子番組表１００には、表示されない番組である。
【００５９】
一方、番組情報に視聴制限情報が含まれていない場合（ステップＳ１４：ＮＯ）、システムコントローラ３０は、ステップＳ１６に進む。上記のように、視聴制限情報が含まれていない番組は、電子番組表１００に表示されている番組である。
【００６０】
ステップＳ１６では、システムコントローラ３０は、対象の番組が選択されたチャンネルでの終端の番組でなければ（ステップＳ１６：ＮＯ）、ステップＳ１７に進み、参照先の管理情報（ｉ）を変更する。そして、システムコントローラ３０は、ステップＳ１３〜Ｓ１５の処理を繰返す。
【００６１】
対象の番組が選択されたチャンネルでの終端の番組であれば（ステップＳ１６：ＹＥＳ）、システムコントローラ３０は、ステップＳ１８に進む。図８（ｂ）に示す例では、システムコントローラ３０が管理情報（ｉ）の『番組３』の欄までを参照した場合である。
【００６２】
ステップＳ１８では、システムコントローラ３０は、番組の連続再生を設定する。例えば、システムコントローラ３０は、メモリコントローラ１６に連続再生を行う番組の番組データの再生を指示する。このとき、システムコントローラ３０は、再生対象から除外した番組（ステップＳ１５）の再生をメモリコントローラ１６に行わない。
以下、メモリコントローラ１６は、システムコントローラ３０からの命令をもとに、第２の領域に記録されている該当する番組の番組データを再生する。
【００６３】
以上、説明したようにこの第１の実施形態では、視聴制限対象者が、電子番組表１００を用いて録画番組を再生する場合でも、視聴制限がかかっている第１の番組の番組欄は表示されないため、視聴制限対象者が視聴制限対象の番組を再生できないようにすることができる。
【００６４】
また、録画手段３１は、ＨＤＤ１７のループ録画領域に番組データを常時録画し、ループ録画領域の記録可能容量が閾値以下となると最も古く録画された番組データを消去し、新たな番組データを録画する。そのため、常時録画を行う録画装置においても本発明を適用することができる。
【００６５】
そして、第２の番組は、電子番組表上で、第１の番組の録画日時に相当する番組欄の時間軸Ｔａで前後に表示される番組であって、電子番組表作成手段３２は、第２の番組の番組欄を第１の番組の録画日時に該当する番組欄まで延長させて表示する。そのため、録画時刻が近い番組で第１の番組に相当する番組欄を覆うため、違和感のない電子番組表とすることができる。
【００６６】
２．第２の実施形態：
この第２の実施形態では、視聴制限番組の電子番組表１００上での差し替え方法が第１の実施形態と比べて異なる。
【００６７】
図１１は、第２の実施形態において、図７のステップＳ８において電子番組表作成手段３２の処理を示すフローチャートである。第２の実施形態の電子番組表作成処理では、図１１以外の処理は第１の実施形態と同じであるため、図７のフローチャートを流用して説明を行う。また、図１２は、第２の実施形態において作成される電子番組表１００を説明する図である。ここで、図１２（ａ）は、ユーザがパスワードを入力して表示させた場合（すなわち、視聴制限がかかっていない場合）の電子番組表１００を示す。また、図１２（ｂ）は、視聴制限がかかっている場合の電子番組表１００を示す。
【００６８】
まず、システムコントローラ３０は、図７のステップＳ１〜Ｓ４までの処理により、電子番組表１００に表示される番組欄１０１（ｉ）の配置を構成するためのＣＳＳを作成する。
【００６９】
更新対象となった全ての管理情報（ｉ）で番組欄１０１（ｉ）が作成されると（ステップＳ３：ＹＥＳ）、システムコントローラ３０は、ステップＳ５に進む。以下、ステップＳ５〜Ｓ１０の処理により、システムコントローラ３０は、視聴制限番組の番組欄１０１（ｉ）に視聴制限対象となっていない番組（第２の番組）を表示する処理を行なう。
【００７０】
まず、ステップＳ５では、システムコントローラ３０は、管理情報（ｉ）を初期化する。次に、ステップＳ６では、システムコントローラ３０は、番組情報（ｉ）を取得する。番組情報（ｉ）に視聴制限情報が含まれている場合（ステップＳ７：ＹＥＳ）、システムコントローラ３０は、ステップＳ８に進み、この番組のＣＳＳを修正するための処理を行なう。
【００７１】
図１１のステップＳ１８１では、参照対象の番組欄のＣＳＳ(即ち、管理情報（ｉ）のＣＳＳ）を取得する。この第２の実施形態においても、システムコントローラ３０は、ＣＳＳとして、開始座標（ｉ）、セル幅Ｗ（ｉ）、セル長さＬ（ｉ）、テキスト（ｉ）をそれぞれ取得する。
【００７２】
ステップＳ１８２では、システムコントローラ３０は、差し替え対象の番組を検索する。この第２の実施形態では、システムコントローラ３０は、差し替え対象の番組として、ループ録画された番組の内、視聴制限番組ではなく、且つ、チャンネルが同じ番組を検索する。
【００７３】
ステップＳ１８３では、システムコントローラ３０は、管理情報（ｉ）のＣＳＳのテキスト（ｉ）を、ステップＳ１８２で検索された番組のテキスト（Ｎ）に変更する。
上記した、ステップＳ１８３の処理により、視聴制限番組の番組欄１０１（ｉ）に表示されるテキストが、視聴制限番組ではない第２の番組のテキストに変更される。図１２（ｂ）では、『番組２』『番組４』がそれぞれ視聴制限番組ではない『番組９』『番組１０』のテキストに変更される。
【００７４】
ステップＳ１８４では、システムコントローラ３０は、管理テーブル４０の視聴制限番組の番組情報が記録される欄に、ステップＳ１８２で検索した番組の番組情報を関連づけるための関連情報を記録する。この関連情報により、システムコントローラ３０（再生制御手段３３）は、管理テーブル４０を参照することで、関連付けられた番組（差し替え番組）における管理テーブル４０に記録された情報を参照することができる。
【００７５】
ステップＳ１８５では、ステップＳ１８２で検索された番組をダビング対象に登録する。番組がダビング登録されることで、再生制御手段３３は、ステップＳ１８２で検索された番組の番組データを常時録画領域１７＃１にダビングし、ループ録画の消去対象とならないようにする。
【００７６】
図７のステップＳ９に戻り、システムコントローラ３０は、更新対象の全ての管理情報（ｉ）において、ステップＳ６からＳ８の処理を実施していなければ（ステップＳ９：ＮＯ）、ステップＳ１０に進む。ステップＳ１０では、システムコントローラ３０は、管理情報（ｉ）に１をプラスして変更し、ステップＳ６〜Ｓ８の処理を繰返す。
【００７７】
更新対象の全ての管理情報（ｉ）において、ステップＳ６からＳ８の処理を実施していれば（ステップＳ９：ＹＥＳ）、システムコントローラ３０は、処理を終了する。
【００７８】
図１３は、第２の実施形態における再生制御を説明するフローチャートである。図１３の処理は、視聴制限対象ユーザが電子番組表１００を表示して番組を視聴する場合を示している。
【００７９】
ステップＳ２１１では、システムコントローラ３０は、視聴制限のかかった電子番組表１００を表示する。
【００８０】
ユーザが電子番組表１００の該当する番組欄１０１（ｉ）を選択することで、番組の再生を入力すると（ステップＳ２１２：ＹＥＳ）、ステップＳ２１３では、システムコントローラ３０は、再生対象番組の管理テーブル４０を参照する。上記した例では、ユーザが『番組１』を選択した場合、まずは、システムコントローラ３０は、選択された『番組１』の管理テーブル４０を参照する。
【００８１】
番組情報に関連付け情報が含まれている場合（ステップＳ２１４：ＹＥＳ）、ステップＳ２１５では、システムコントローラ３０は、関連付け情報により関連づけられた番組を再生対象とする。上記のように、関連情報は、図１１のステップＳ１８４において、設定された情報である。
【００８２】
一方、関連情報が含まれていない場合（ステップＳ２１４：ＮＯ）、システムコントローラ３０は、ステップＳ２１６に進む。上記のように、視聴制限情報が含まれていない番組は、電子番組表１００に表示されている番組である。
【００８３】
ステップＳ２１６では、システムコントローラ３０は、対象の番組が選択されたチャンネルでの終端の番組でなければ（ステップＳ２１６：ＮＯ）、ステップＳ２１７に進み、参照先の管理情報（ｉ）を変更する。そして、システムコントローラ３０は、ステップＳ２１３〜Ｓ２１５の処理を繰返す。
【００８４】
対象の番組が選択されたチャンネルでの終端の番組であれば（ステップＳ２１６：ＹＥＳ）、システムコントローラ３０は、ステップＳ２１８に進む。
【００８５】
ステップＳ２１８では、システムコントローラ３０は、番組の連続再生を設定する。例えば、システムコントローラ３０は、メモリコントローラ１６に連続再生を行う番組の番組データの再生を指示する。この第２の実施形態では、視聴対象番組の変わりに関連付け情報により参照される番組が再生対象に設定されている。
以下、メモリコントローラ１６は、システムコントローラ３０からの命令をもとに、第２の領域に記録されている該当する番組の番組データを再生する。
【００８６】
以上、説明したようにこの第２の実施形態では、第１の実施形態で奏する効果に加えて以下の効果を奏する。すなわち、再生制御手段３３は、電子番組表１００の第１の番組の録画日時に相当する番組欄に表示された第２の番組がユーザにより選択された場合は、第２の番組の番組データを再生させる。そのため、電子番組表１００で擬似的に表示されている第２の番組を再生させることで、視聴制限対象者が第１の番組を再生するのを抑制することができる。
【００８７】
また、電子番組表作成手段３２は、電子番組表１００上で、第１の番組と同じ放送局により放送された番組を前記第２の番組とすることで違和感のない電子番組表とすることができる。
【００８８】
３．第３の実施形態：
この第３の実施形態では、ＨＤＤ１７に録画されている視聴制限がかかっている番組の番組データを視聴制限がかかっていない番組の番組データに差し替える構成が他の実施形態と比べて異なる。
【００８９】
図１４は、第３の実施形態において、再生制御手段３３が実行する処理を示すフローチャートである。図１４に示す処理は、例えば、第２の実施形態で示した電子番組表作成処理（図１１）の後に実施される処理である。
【００９０】
ステップＳ３０１では、システムコントローラ３０は、管理テーブル４０を参照する。例えば、システムコントローラ３０は、第２の領域に記録されている番組の先頭（最も古い番組）の管理テーブル４０の欄を参照する。
【００９１】
番組情報に関連付け情報が含まれている場合（ステップＳ３０２：ＹＥＳ）、ステップＳ３０３では、システムコントローラ３０は、参照元（管理情報（ｉ））の番組の番組データを、常時録画領域１７＃１にダビングする。常時録画領域１７＃１は、ループ録画により使用されないため、番組データの消去が自動では行われない。
【００９２】
ステップＳ３０４では、システムコントローラ３０は、関連付け情報により関連づけられた差し替え対象の番組（例えば、管理情報（Ｎ））の番組の番組データを、常時録画領域１７＃１の参照元（管理情報（ｉ））の番組の番組データが記録されているセクタに上書きする。無論、先にセクタに記録された番組データを消去した後、差し替え対象の番組の番組データを消去するものであってもよい。
【００９３】
一方、番組情報に視聴制限情報が含まれていない場合（ステップＳ３０２：ＮＯ）、システムコントローラ３０は、ステップＳ３０５に進む。上記のように、関連付け情報が含まれていない番組は、電子番組表１００に表示されている番組である。
【００９４】
ステップＳ３０５では、システムコントローラ３０は、管理テーブル４０の全ての管理情報において処理が実施されていなければ（ステップＳ３０５：ＮＯ）、ステップＳ３０６に進み、参照先の管理情報（ｉ）を変更する。そして、システムコントローラ３０は、ステップＳ３０１〜Ｓ３０４の処理を繰返す。
【００９５】
管理テーブル４０の全ての管理情報において処理が実施されていれば（ステップＳ３０５：ＹＥＳ）、システムコントローラ３０は処理を終了する。そのため、上記した一連の処理により、ＨＤＤ１７（第２の領域）に記録された番組データの内、視聴制限対象番組は、常時録画領域１７＃１にダビングされる。また、ループ録画領域１７＃１〜＃Ｍの視聴制限対象番組が記録された領域には、視聴制限対象番組ではない番組（第２の番組）が記録されることとなる。
【００９６】
そのため、録画装置１０が、ＤＮＬＡ等のサーバー（ＤＮＳ）として機能する場合において、以下のような効果を奏することとなる。
録画装置１０がプレーヤー（ＤＮＰ）との間で、ペアリングを行い、電子番組表１００の共有が行われる場合、プレーヤーには、図１２（ｂ）に示した電子番組表が表示されることとなる。このとき、プレーヤーを操作したユーザが視聴制限対象者である場合でも、電子番組表１００には、視聴制限対象の番組欄は表示されない。また、ユーザが番組欄を選択して、録画装置１０からプレーヤーに配信される番組データも、視聴制限対象の番組ではないため、管理者（例えば、録画装置１０の管理者）は、視聴制限対象者に視聴制限対象番組を視聴させることにはならず、コンテンツの管理を適切に行うことができる。
【００９７】
本発明の一態様では、前記再生制御手段は、前記第１の番組の番組データを別領域に記録した後、前記第１の番組の番組データが記録される領域に前記第２の番組の番組データを記録する。
上記のように構成された発明では、第１の番組の番組データの記録先を変更することで、視聴制限対象者が電子番組表を用いて第１の番組を確実に再生できないようにすることができる。
【００９８】
４．第４の実施形態：
視聴制限対象番組を設定する条件は、放送局から指定される情報に限定されない。例えば、録画装置１０が視聴制限を行うための登録機能を備え、ユーザが視聴制限のための条件を登録するものであってもよい。
【００９９】
図１５は、ユーザが視聴制限対象番組を決定するための処理を示すフローチャートである。
まず、ステップＳ４０１では、システムコントローラ３０は、視聴制限情報をユーザに入力させるための登録画面を表示装置５０に表示させる。
【０１００】
ステップＳ４０２では、システムコントローラ３０は、ユーザから視聴制限対象番組を特定するための検索条件の入力を受付ける。検索条件は、特定の出演者が出演している番組を検索するための『出演者』、バイオレンス、コメディー等の番組のジャンルを特定するための『放送ジャンル』、深夜番組等を検索するための『放送時間』、特定の『キーワード』等、番組情報（ｉ）をもとに検索できるものであればどのようなものであってもよい。
【０１０１】
ステップＳ４０３では、システムコントローラ３０は、入力された検索条件を登録する
【０１０２】
ステップＳ４０４では、システムコントローラ３０は、管理テーブル４０から、ステップＳ４０３で入力された検索条件に該当する番組を検索する。システムコントローラ３０は、管理テーブル４０の番組情報（ｉ）と、登録された検索条件とを比較し、検索条件と一致する番組情報（ｉ）を有する番組を検索する。
【０１０３】
ステップＳ４０５では、システムコントローラ３０は、検索条件に該当する番組の番組情報（ｉ）（管理テーブル４０に記録された番組情報）に視聴制限情報を記録する。番組情報に視聴制限情報が記録されることで、以下、この番組が視聴制限番組として登録される。
【０１０４】
そのため、上記した第１から第３の実施形態において、視聴制限対象番組として登録された番組は、電子番組表１００に表示されない。
【０１０５】
以上、説明したようにこの第４の実施形態では、以下の効果を奏する。すなわち、ユーザの指定する条件に該当する番組を、視聴制限対象番組として登録することができるため、より柔軟に本発明を適用することができる。
【０１０６】
５．その他の実施形態：
電子番組表作成手段３２は、電子番組表１００上で、第１の番組と同じ録画時刻で録画された番組を前記第２の番組としてもよい。上記のように構成された発明では、同じ録画時刻の番組を第１の番組に相当する番組欄に表示するため、違和感のない電子番組表１００とすることができる。
【０１０７】
電子番組表作成手段３２は、電子番組表１００上で、第１の番組と同じ番組長さの番組を前記第２の番組としてもよい。上記のように構成された発明では、同じ番組長さの番組を第１の番組に相当する番組欄に表示するため、違和感のない電子番組表１００とすることができる。
【０１０８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【０１０９】
１０…録画装置、１１…チューナー部、１２…エンコーダー、１３…デコーダー、１４…ビデオメモリ、１５…ＡＶコンバーター、１６…メモリコントローラ、１７…ＨＤＤ，１９…ＧＵＩ合成部、２０…バス、２１…表示部、２２…リモコン受信部、３０…システムコントローラ、３１…録画手段、３２…電子番組表作成手段、３３…再生制御手段、４０…管理テーブル、５０…表示装置、１００…電子番組表、１０１…番組欄
【図１】
2015226123.tif 000003
【図２】
2015226123.tif 000004
【図３】
2015226123.tif 000005
【図４】
2015226123.tif 000006
【図５】
2015226123.tif 000007
【図６】
2015226123.tif 000008
【図７】
2015226123.tif 000009
【図８】
2015226123.tif 000010
【図９】
2015226123.tif 000011
【図１０】
2015226123.tif 000012
【図１１】
2015226123.tif 000013
【図１２】
2015226123.tif 000014
【図１３】
2015226123.tif 000015
【図１４】
2015226123.tif 000016
【図１５】
2015226123.tif 000017